(57)【要約】【課題】  着た時のフィット感を向上し、機動性を向上したフローティングベストに使用するためのフローティングベスト用浮力材およびフローティングベストを提供する。【解決手段】  フローティングベスト浮力材(20)は、背中を支持する背中部と、前記背中部の左側に位置する左側部と、前記背中部の右側に位置する右側部とを有するフローティングベスト(10)において、そのフローティングベスト(10)の表地(11)と裏地(12)との間に収納する。  さらに、左側部と背中部と右側部において胴回り方向に少なくとも３つ以上に分割形成した分割浮力材(21,21，・・・)で構成し、前記各分割浮力材(21,21，・・・)において互いに隣り合う側面同士のうちの少なくとも一方の側面が、裏地(12)側を狭くする方向に傾斜する傾斜角を有する。フローティングベスト(10)は、前記フローティングベスト浮力材(20)を用いて形成する。【選択図】  図２
2015045116.tif 000002
【特許請求の範囲】
【請求項１】
背中を支持する背中部と、
前記背中部の左側に位置する左側部と、
前記背中部の右側に位置する右側部とを有するフローティングベストにおいて、
そのフローティングベストの表地と裏地との間に収納するローティングベスト用浮力材であって、
胴回り方向に少なくとも３つ以上に分割形成した分割浮力材で構成し、
前記のフローティングベストを着用者が立って着用した場合の方向を基準とし、
前記の分割浮力材における前記の表地側へ位置する浮力材表面が水平面と交わる線を表線とし、
前記の分割浮力材における前記の裏地側へ位置する浮力材表面が水平面と交わる線を裏線とした場合に、
全ての分割浮力材における表線の合計値が裏線の合計値よりも大きくなるように形成したフローティングベスト用浮力材。
【請求項２】
前記の各分割浮力材の少なくとも一つが、前記の表線の合計値を前記の裏線の合計値よりも大きくなるように湾曲した湾曲面を備えることとした
請求項１に記載のフローティングベスト用浮力材。
【請求項３】
前記の各分割浮力材において、互いに隣り合う側面同士のうちの少なくとも一方の側面が、前記の表線の合計値を前記の裏線の合計値よりも大きくなるように傾斜角を有するように形成した請求項１または請求項２のいずれかに記載のフローティングベスト用浮力材。
【請求項４】
前記各分割浮力材において互いに隣り合う側面同士の両方の側面における傾斜角は、９０度以下であるように構成した請求項１から請求項３のいずれかに記載のフローティングベスト用浮力材。
【請求項５】
前記の各分割浮力材において互いに隣り合う側面同士の両方の側面における傾斜角は、９０度より小さく構成した
請求項１から請求項４のいずれかに記載のフローティングベスト用浮力材。
【請求項６】
前記の分割浮力材の側面における傾斜角は、上から下に向けて小さい角度へ変化するように構成した
請求項１から請求項５のいずれかに記載のフローティングベスト用浮力材。
【請求項７】
前記左側部に位置する分割浮力材の側面における傾斜角と、前記右側部に位置する分割浮力材の側面における傾斜角は、異なる角度として形成した請求項１から請求項６のいずれかに記載のフローティングベスト用浮力材。
【請求項８】
背中を支持する背中部と、前記背中部の左側に位置する左側部と、前記背中部の右側に位置する右側部とを有し、表地と裏地との間に板状のフローティングベスト用浮力材を収納したフローティングベストであって、
前記のフローティングベスト用浮力材は、請求項１から請求項７のいずれかに記載したフローティングベスト用浮力材としたフローティングベスト。
【請求項９】
背中を支持する背中部と、前記背中部の左側に位置する左側部と、前記背中部の右側に位置する右側部とを有し、表地と裏地との間に板状のフローティングベスト用浮力材を収納したフローティングベストであって、
前記のフローティングベスト用浮力材は、胴回り方向に少なくとも３つ以上に分割形成した分割浮力材で構成するとともに、前記のフローティングベストを着用者が立って着用した場合の方向を基準とし、
前記の表地が水平面と交わる線を表線とし、
前記の裏地が水平面と交わる線を裏線とした場合に、
表線が裏線よりも大きくなるように形成したことを特徴とする  請求項１から請求項７のいずれかに記載したフローティングベスト用浮力材としたフローティングベスト。
【発明の詳細な説明】
【技術分野】
【０００１】
本発明は、救命のために浮力材を備えたフローティングベストに使用するためのフローティングベスト用浮力材、およびそのフローティングベスト用浮力材を用いたフローティングベストに関する。
【背景技術】
【０００２】
図１０および図１１に示すように、フローティングベスト５０は、左右の前身頃、背中を支持する後見頃などに、例えば発泡プラスチックなどの板状の浮力材６０を備えている。
特許文献１および特許文献２に開示されるように、前記浮力材６０は、幾つかに分割して形成した分割浮力材６１，６１・・・が表地５１と裏地５２の間に収納される。前記各分割浮力材６１，６１・・・の周縁は、表地５１と裏地５２を縫合されることで、表地５１と裏地５２の間の位置が規制される。
【先行技術文献】
【特許文献】
【０００３】
【特許文献１】特開２００１−２０７３１１号公報
【特許文献２】特開２００９−１９２９９号公報
【発明の概要】
【発明が解決しようとする課題】
【０００４】
特許文献１および特許文献２に開示されるフローティングベスト５０は、板状の各分割浮力材６１，６１・・・の側面が、表面に対してほぼ直角をなしている。そのため、図１２に示すように、フローティングベスト５０を着用する際、互いに隣り合う分割浮力材６１，６１・・・の側面同士が外側に開くように離れる状態になる。分割浮力材６１，６１・・・の側面同士は点接触になるために、互いにずれが生じてやすいためと考えられる。
【０００５】
また、使用時においてウエスト周りのずり上がりが起きやすい。これも、分割浮力材６１，６１・・・の側面同士が点接触であることが、原因の一つであると考えられる。こうしたずり上がり現象を違和感として捉えるユーザは潜在している。
【０００６】
本発明が解決しようとする課題は、着用の際のフィット感を向上し、使用時の違和感を低下させるフローティングベストおよびそのフローティングベストに使用するためのフローティングベスト用浮力材を提供することにある。
【課題を解決するための手段】
【０００７】
（第一の発明）
第一の発明は、  背中を支持する背中部と、前記背中部の左側に位置する左側部と、前記背中部の右側に位置する右側部とを有するフローティングベスト(10)において、そのフローティングベスト(10)の表地(11)と裏地(12)との間に収納するフローティングベスト用浮力材(20) に係る。
胴回り方向に少なくとも３つ以上に分割形成した分割浮力材(21,21，・・・)で構成する。
そして、前記のフローティングベスト(10)を着用者が立って着用した場合の方向を基準とし、  前記の分割浮力材(21,21，・・・)における前記の表地(11)側へ位置する浮力材の表面が水平面と交わる線を表線とし、  前記の分割浮力材(21,21，・・・)における前記の裏地(12)側へ位置する浮力材表面が水平面と交わる線を裏線とした場合に、
全ての分割浮力材(21,21，・・・)における表線の合計値が裏線の合計値よりも大きくなるように形成する。
【０００８】
（用語説明）
一つの分割浮力材(21)だけを見た場合には、表線が裏線よりも大きくないとしても、全ての分割浮力材(21,21，・・・)における表線の合計値が裏線の合計値よりも大きくなればよい。
表線が裏線よりも大きくなるように、一つの分割浮力材(21)が表側へ凸となるような湾曲面を備えるようにしてもよいし、複数の分割浮力材(21)が表側へ凸となるような湾曲面を備えてもよい。
【０００９】
（作用）
釣人がフローティングベスト用浮力材(20)を用いたフローティングベスト(10)を着ると、全ての分割浮力材(21,21，・・・)における表線の合計値が裏線の合計値よりも大きいので、フローティングベスト(10)が釣り人の身体に併せた形状となりやすい。そのため、着用時や使用時のフィット感が向上する。
【００１０】
（第一の発明のバリエーション１）
第一の発明において、前記の各分割浮力材(21,21，・・・)の少なくとも一つが、前記の表線の合計値を前記の裏線の合計値よりも大きくなるように湾曲した湾曲面を備えることとしてもよい。
【００１１】
（第一の発明のバリエーション２）
第一の発明において、前記の各分割浮力材(21,21，・・・)において互いに隣り合う側面同士のうちの少なくとも一方の側面が、裏地(12)の側を狭くする方向に傾斜する傾斜角を有することとしてもよい。
【００１２】
（用語説明）
前記の各分割浮力材(21,21，・・・)においては、互いに隣り合う側面同士の傾斜角の合計が１８０度より小さい角度である。たとえば、前記隣り合う側面の両方が９０度より小さい傾斜角であることが望ましい。
前記隣り合う側面同士におけるいずれか一方の側面における傾斜角が９０度以上で、他方の側面における傾斜角が９０度より小さい場合も含まれる。
【００１３】
（作用）
釣人がフローティングベスト用浮力材(20)を用いたフローティングベスト(10)を着ると、各分割浮力材(21,21，・・・)において互いに隣り合う側面は、その傾斜角の存在によって互いに接近する（図３と図１０とを比較して参照）。
その結果、３つ以上の分割浮力材(21,21，・・・)における裏地(12)側の胴回り方向の長さが、表地(11)側の胴回り方向の長さよりも短くなるため、釣り人の身体との間に生じていた空間（図１０）が極めて少なくなり（図３）、各分割浮力材(21)の裏地(12)の側が身体に面で当たる部位が大幅に増える。そのため、着用時や使用時のフィット感が向上する。
【００１４】
（第一の発明のバリエーション３）
第一の発明は、  前記各分割浮力材(21,21，・・・)において互いに隣り合う側面同士の両方の側面における傾斜角を、９０度以下とすると合理的である。
【００１５】
（作用）
隣り合う側面同士の両方の側面における傾斜角が９０度以下、特に９０度よりも小さい場合は、フローティングベスト(10)が、各分割浮力材(21)の裏地(12)の側が身体に面で当たり易くなり、良好なフィット感を得られる。
【００１６】
（第一の発明のバリエーション４）
第一の発明は、  前記分割浮力材(21)の側面における傾斜角を、上下方向において同一の角度とすることができる。
【００１７】
（作用）
分割浮力材(21)の側面における傾斜角が上下方向において同一の角度である場合は、各分割浮力材(21)を製造する際の加工性が良い。しかも、フローティングベスト(10)は胴回りに対するフィット感が良好である。
【００１８】
（第一の発明のバリエーション５）
第一の発明および前記バリエーション１は、  前記分割浮力材(21)の側面における傾斜角を、上から下に向けて小さい角度へ変化するように構成することができる。
ここで、「上」や「下」とは、フローティングベスト(10)を着用者が立って着用した場合の方向を基準としている。
【００１９】
（作用）
分割浮力材(21)の側面における傾斜角が上から下に向けて小さい角度へ変化する場合は、フローティングベスト(10)が、背中に対しても、また胴回りに対しても、身体の各部位に対応してフィット感が良好である。
【００２０】
（第一の発明のバリエーション６）
第一の発明は、以下のように形成することもできる。
すなわち、  前記左側部に位置する分割浮力材(21)の側面における傾斜角と、前記右側部に位置する分割浮力材(21)の側面における傾斜角は、異なる角度としてもよい。
【００２１】
（作用）
一般の釣り人は、利き腕を他の腕よりも多く動かすこととなる。フローティングベスト(10)において、利き腕の側に位置する分割浮力材(21)の側面における傾斜角が小さい角度であるなら、利き腕の動きに応じて、利き腕側に位置して隣り合う分割浮力材(21,21)の側面間の隙間が大きく変化することになる。その結果、前記隙間の大きさの変化による開閉動作が繰り返され、前記隙間からの通気性が向上する。
【００２２】
（第一の発明のバリエーション７）
第一の発明は、以下のように形成することもできる。
すなわち、  前記右側部に位置する分割浮力材(21)の側面における傾斜角は、前記左側部に位置する分割浮力材(21)の側面における傾斜角より小さい角度である。
【００２３】
（作用）
フローティングベスト(10)において、右利きの人に対しては、利き腕である右腕の動きに応じて、右側部に位置して隣り合う分割浮力材(21)の側面間に存在する隙間からの通気性が向上する。
【００２４】
（第二の発明）
第二の発明は、  背中を支持する背中部と、前記背中部の左側に位置する左側部と、前記背中部の右側に位置する右側部とを有し、表地(11)と裏地(12)との間に板状の浮力材(20)を収納するフローティングベスト(10)に係る。
そして、前記のフローティングベスト用浮力材は、第一の発明に係るフローティングベスト用浮力材とする。
【００２５】
（作用）
釣人がフローティングベスト(10)を着ると、各分割浮力材(21,21,・・・)において互いに隣り合う側面の傾斜角によって、各分割浮力材(21,21,・・・)において互いに隣り合う側面同士が接近するようになる。その結果、３つ以上の分割浮力材(21,21,・・・)における裏地(12)側の胴回り方向の長さが、表地(11)側の胴回り方向の長さより短くなるので、各分割浮力材(21)の裏地(12)側が身体に面で当たるためにフィット感が向上する。また、フローティングベスト(10)を着た時の機動性が向上する。
【００２６】
（第三の発明）
第三の発明は、  背中を支持する背中部と、前記背中部の左側に位置する左側部と、前記背中部の右側に位置する右側部とを有し、表地と裏地との間に板状のフローティングベスト用浮力材を収納したフローティングベストに係る。
前記のフローティングベスト用浮力材は、胴回り方向に少なくとも３つ以上に分割形成した分割浮力材(21,21,・・・)で構成するとともに、前記のフローティングベスト(10)を着用者が立って着用した場合の方向を基準とし、  前記の表地が水平面と交わる線を表線とし、  前記の裏地が水平面と交わる線を裏線とした場合に、  表線が裏線よりも大きくなるように形成する。
【００２７】
第三の発明に係るフローティングベスト用浮力材は、第一の発明に係るフローティングベスト用浮力材におけるバリエーションを採用することも可能である。
【発明の効果】
【００２８】
第一の発明によれば、着用の際のフィット感を向上し、使用時の違和感を低下させるフローティングベスト用浮力材を提供することができた。
また、第二および第三の発明によれば、着用の際のフィット感を向上し、使用時の違和感を低下させるフローティングベストを提供することができた。
【図面の簡単な説明】
【００２９】
【図１】本発明の実施形態に係るフローティングベストの斜視図である。
【図２】（ａ）は、図１のフローティングベストにおいて、板状の分割浮力材を収納した部分を展開した状態の平面図である。（ｂ）は、（ａ）の矢視ＩＩＢ−ＩＩＢ線の断面図である。（ｃ）は、（ｂ）の一部を拡大した拡大断面図である。（ｄ）は、互いに隣り合う分割浮力材を模式的に示す説明図である。
【図３】図１のフローティングベストを人の身体に着けた際の、各分割浮力材と身体との状態を模式的に示す断面説明図である。
【図４】（ａ）は、分割浮力材における他の実施形態を示す斜視図である。（ｂ）は、（ａ）の矢視ＩＶＢ−ＩＶＢ線の断面図である。（ｃ）は、（ａ）の矢視ＩＶＣ−ＩＶＣ線の断面図である。
【図５】左手側の分割浮力材の側面における傾斜角と、右手側の分割浮力材の側面における傾斜角が異なるフローティングベストであり、各分割浮力材と身体との状態を示す模式的な説明図である。
【図６】（ａ），（ｂ）は、本発明の他の実施形態に係るフローティングベストの一例を示す斜視図である。
【図７】（ａ），（ｂ）は、本発明の別の実施形態に係るフローティングベストの一例を示す斜視図である。
【図８】（ａ），（ｂ）は、本発明の他の実施形態に係るフローティングベストの一例を示す断面図である。
【図９】（ａ），（ｂ）は、本発明の他の実施形態に係るフローティングベストの一例を示す断面図である。
【図１０】従来のフローティングベストの正面図である。
【図１１】（ａ）は、図８のフローティングベストにおいて、板状の浮力材を収納した部分を展開した状態の平面図である。（ｂ）は、（ａ）の矢視ＩＸＢ−ＩＸＢ線の断面図である。（ｃ）は、（ｂ）の一部を拡大した拡大断面図である。
【図１２】図１０のフローティングベストを人の身体に着けた際の、各分割浮力材と身体との状態を模式的に示す断面説明図である。
【発明を実施するための形態】
【００３０】
以下、本発明の実施形態について図面を参照して説明する。
本実施形態に係るフローティングベスト１０は、図１および図２に示すように、主として磯釣り用に使用される。フローティングベスト１０は、袖なしの上着であり、左右の前身頃、背中を支持する後見頃などに、背中を支持する背中部と、前記背中部の左側に位置する左側部と、前記背中部の右側に位置する右側部とを有する。さらに、フローティングベスト１０の表地１１と裏地１２との間に、例えば発泡プラスチックなどの救命のための板状のフローティングベスト用浮力材２０を収納している。
【００３１】
本実施形態に係るフローティングベスト用浮力材２０は、左側部と背中部と右側部において胴回り方向に少なくとも３つ以上に分割形成した分割浮力材２１，２１・・・で構成される。図２では、５つの分割浮力材２１，２１・・・で構成している。また、前記各分割浮力材２１，２１・・・の周縁は、表地１１と裏地１２を縫合されることで、表地１１と裏地１２の間の位置が規制される。なお、裏地１２の生地は、通気性を向上させたい本実施形態では、メッシュ素材を採用している。しかし、逆に防寒性を高めたい場合には、この限りではない。
なお、図２（ｂ）に示すような表地１１および裏地１２を備えた袋体を、フローティングベスト１０とは別体として準備し、その袋体へ各分割浮力材２１，２１・・・を収納してから、フローティングベスト１０へ収納する場合もある。その場合、フローティングベスト１０には、各各分割浮力材２１，２１・・・が収納された袋体を収納可能な部位を備えておくこととなる。
【００３２】
各分割浮力材２１，２１・・・は、互いに隣り合う側面同士のうちの少なくとも一方の側面が、裏地１２の側を狭くする方向に傾斜する傾斜角を有している。図２（ｂ）および図２（ｃ）は、各分割浮力材２１，２１・・・が同じ傾斜角を有している状態であるが、図２（ｄ）に示すように、互いに隣り合う側面の傾斜角が、異なる場合も含まれる。例えば、分割浮力材２１ａの図２（ｄ）において右側面の傾斜角αは、隣り合う分割浮力材２１ｂの図２（ｄ）において左側面の傾斜角βと異なる場合がある。
【００３３】
前記の隣り合う側面同士の両方の側面における傾斜角αおよび傾斜角βが９０度より小さいことが望ましい。それによって、図３に示すように、全体として湾曲しつつ、隣り合う分割浮力材２１が面接触に近くなるので、お互いにずれにくくなる。その結果、各分割浮力材２１，２１・・・の裏地１２側が身体へ面で当たり易くなり、良好なフィット感が得られる。しかし、前記傾斜角αが９０度以上であっても、前記傾斜角βは裏地１２側を狭くする方向に傾斜する場合も適用される。いずれにしても、前記傾斜角αと前記傾斜角βの和は、１８０度より小さくする（α＋β＜１８０度）必要がある。この条件を満たせば、フローティングベスト１０を着た時、隣り合う側面同士が接近し、各分割浮力材２１，２１・・・の裏地１２側が身体に面で当たり、フィット感が良好になる。
【００３４】
上記のフローティングベスト１０およびフローティングベスト用浮力材２０の作用について詳しく説明する。
なお、図３は、フローティングベスト１０を人の身体に着けた状態を模式的に示している。特に、各分割浮力材２１，２１・・・と身体とのフィット状態を示すために、表地１１と裏地１２は図示を省略している。
【００３５】
釣人がフローティングベスト１０を着ると、図３に示すように、各分割浮力材２１，２１・・・において互いに隣り合う側面に傾斜角が存在するため、全体として湾曲しつつ、隣り合う分割浮力材２１が面接触に近くなり、各分割浮力材２１，２１・・・において互いに隣り合う側面同士が接近し、且つずれにくくなる。その結果、３つ以上の分割浮力材２１，２１・・・における裏地１２側の胴回り方向の長さが、表地１１側の胴回り方向の長さよりも短くなる。図３における左右方向の外力が加わったとしても、釣り人が着用したフローティングベスト１０の形状は安定しており、変形しにくい。そのため、各分割浮力材２１，２１・・・の裏地１２側が身体に面で当たり、フィット感が良好になる。
一方、図１２に示した従来のフローティングベスト６０では、各分割浮力材６１，６１・・・において互いに隣り合う側面同士が離れてしまい、釣り人の身体との間には空間が生じてしまう。これが、着用時におけるフィット感の低下要因のひとつであったと考えらえる。仮に、表地側の胴回り方向の長さと裏地側の胴回り方向の長さとを調整するなどして、各分割浮力材６１，６１・・・において互いに隣り合う側面同士を近づけたとしても、隣り合う分割浮力材６１，６１・・・の角がぶつかり合う。その結果、着用しようとした場合に抵抗となってフィット感を低下させるか、釣り人の身体との間に生じる空間を大きくする、ということになっていた。
【００３６】
図１２のフローティングベスト６０において釣り人の身体との間に生じていた空間は、図３では極めて少なくなり、各分割浮力材２１，２１・・・の裏地１２側が身体に面で当たる部位が大幅に増える。そのため、釣人に対するフィット感が、図１２に示した従来のフローティングベストに比べて向上する。従来のフローティングベストにて生じていた、着用時のずり上がりも低減できる。これに伴って、フローティングベスト１０を着た釣人の機動性が向上する。
【００３７】
なお、表地１１および裏地１２の間において、隣り合う各分割浮力材２１，２１・・・が互いに隙間を存在させて収納しているような場合、着用時にはその隙間が埋まる上に、互いに隣り合う側面同士が接近（接触）する。そのため、フローティングベスト１０の形状は安定する。着用者の体型がやせ形である場合も、ほぼ同様である。
一方、図１２において隣り合う各分割浮力材６１，６１・・・が互いに隙間を存在させて収納しているような場合、着用時には隣り合う分割浮力材６１，６１・・・の角がぶつかり合った状態となる。そのため、図１２における左右方向の外力が加わったとすると、釣り人が着用したフローティングベスト６０は変形しやすく、フィット感を低下させることとなる。
【００３８】
上記の分割浮力材２１の側面における傾斜角が上下方向において同一の角度である場合は、分割浮力材２１を製造する際の加工性が良い。しかも、釣人の胴回りに対するフィット感が良好となる。
また、前記分割浮力材２１は、図４に示すように、両側面の傾斜角が、上から下に向けて小さい角度へ変化するように構成することができる。例えば、フローティングベスト１０を着た時に、上側である肩の側では、図４（ｃ）において左側の傾斜角γ’と右側の傾斜角θ’が同じ角度（γ’＝θ’）である。一方、下側である胴側では、図４（ｂ）において左側の傾斜角γと右側の傾斜角θが同じ角度（γ＝θ）である。この時、胴側の両側面の傾斜角γ（＝θ）は、肩側の両側面の傾斜角γ’（＝θ’）より小さい角度となる。すなわち、傾斜角γ（＝θ）＜γ’（＝θ’）となる。
【００３９】
背中を支持する箇所に対応する領域の分割浮力材２１における両側面の傾斜角γ’（＝θ’）は、大きい角度とすることで、身体の中でも比較的平たい背中に対応した良好なフィット感を得ることができる。  一方、胴回りを支持する箇所に対応する領域の分割浮力材２１における両側面の傾斜角γ（＝θ）を小さい角度とすることで、湾曲した胴回りに対応したフィット感を得ることができる。
以上のように、背中に対しても、また胴回りに対しても、身体の各部位に対応してフィット感が良好である。
【００４０】
上記の実施形態では、両側面の傾斜角を同じ角度（γ＝θ，γ’＝θ’）としているが、両側面の傾斜角を異なる角度（γ≠θ，γ’≠θ’）であっても適用される。
【００４１】
図５は、左手側の分割浮力材２１ａの側面における傾斜角と、右手側の分割浮力材２１ｃの側面における傾斜角が異なるフローティングベスト１０を着た状態を模式的に示している。特に、各分割浮力材２１，２１・・・と身体とのフィット状態を示すために、表地１１と裏地１２は図示省略している。
図５では、フローティングベスト用浮力材２０が、左側部に位置する分割浮力材２１ａと、背中部に位置する分割浮力材２１ｂと、右側部に位置する分割浮力材２１ｃで構成している。この例では、背中部に位置する分割浮力材２１ｂにおいて、左手側の側面、つまり左側部に位置する分割浮力材２１ａと隣り合う側面は、傾斜角Ａとする。一方、右手側の側面、つまり右側部に位置する分割浮力材２１ｃと隣り合う側面は、傾斜角Ｂとする。しかも、傾斜角Ａと傾斜角Ｂは、異なる角度（Ａ≠Ｂ）としている。
これに伴って、左側部に位置する分割浮力材２１ａと、右側部に位置する分割浮力材２１ｃは、傾斜角が異なるので同じ形状ではない（２１ａ≠２１ｃ）。
【００４２】
人は利き腕の方が他の腕より動きが多くなる。利き腕の側に位置する分割浮力材２１の側面における傾斜角が小さい角度であるなら、利き腕の動きによって、利き腕側に位置して隣り合う分割浮力材２１の側面間の隙間が大きく変化する。この隙間の大きさが変化することによる開閉動作が繰り返されることによって、前記隙間からの通気性が向上する。
【００４３】
例えば、図５に示すように、右利きの人に対しては、背中部に位置する分割浮力材２１ｂにおいて、右側部に位置する分割浮力材２１ｃに隣り合う側面の傾斜角Ｂは、左側部に位置する分割浮力材２１ａに隣り合う側面の傾斜角Ａより小さい角度（Ｂ＜Ａ）とする。その結果、図５の二点鎖線で示すように、右腕の動きによって、分割浮力材２１ｂと分割浮力材２１ｃとの隙間が大きく変化する。この隙間の開閉動作が繰り返されることによって、前記隙間からの通気性が向上する。
【００４４】
左利きの人に対しては、上記の右利きの人の場合と逆にすればよい。  販売時点では、右利き用にセットしておく。そして、取扱説明書において、「左利きのユーザに対して入れ替えて用いてください」というように説明しておくとともに、販売店において店員によって入れ替えてもらうなどで対応する。
【００４５】
前述のフローティングベスト１０は、前記フローティングベスト用浮力材２０が５つの分割浮力材２１〜２１で構成した場合である。分割浮力材２１の数は特に限定されないが、３つ以上である。
図６では、前記フローティングベスト用浮力材２０が４つの分割浮力材２１〜２１で構成している。すなわち、フローティングベスト用浮力材２０は、左側部に位置する分割浮力材２１ｄと、背中部に位置する左側の分割浮力材２１ｅと、背中部に位置する右側の分割浮力材２１ｆと、右側部に位置する分割浮力材２１ｇと、４つに分割している。しかし、分割位置は特に限定されない。例えば、図６（ｂ）に示すように、左側部、背中部、右側部の範囲に関係なく、単に胴回り方向に４分割することもできる。
各分割浮力材２１ｄ，２１ｅ，２１ｆ，２１ｇの構成およびその他の構成は、前述の実施形態と同様であり、同様の作用および効果が得られる。
【００４６】
図７では、前記フローティングベスト用浮力材２０が３つの分割浮力材２１〜２１で構成している。図７（ａ）では、フローティングベスト用浮力材２０は、左側部に位置する分割浮力材２１ａと、背中部に位置する分割浮力材２１ｂと、右側部に位置する分割浮力材２１ｃと、３つに分割している。しかし、分割位置は特に限定されない。例えば、図７（ｂ）に示すように、左側部、背中部、右側部の範囲に関係なく、単に胴回り方向に３分割することもできる。
各分割浮力材２１ａ，２１ｂ，２１ｃの構成およびその他の構成は、前述の実施形態と同様であり、同様の作用および効果が得られる。
【００４７】
本実施形態に係るフローティングベスト用浮力材２０は、構成する分割浮力材２１，２１、・・・の組み合わせ全体を、例えばメッシュ素材に入れた状態として製品化し、浮力材が劣化した場合の交換や、本実施形態におけるフローティングベスト用浮力材ではない浮力材が採用されている場合のバージョンアップなどに対応できる。
【００４８】
図８（ａ）では、フローティングベスト用浮力材２０を３つの分割浮力材２１ａ，２１ｂ’，２１ｃで構成するが、中央に位置する分割浮力材２１b’は、着用者が立って着用した場合に水平な断面形状を長方形としている。そして、その長方形をなす分割浮力材２１ｂ’の両側に位置する分割浮力材２１ａ、２１ｃは、その水平断面形状が外側（着用した場合に表に位置する側）を長辺とし、内側（着用した場合に着用者の身体側に位置する側）を短辺とする台形をなしている。
このように形成することで、全ての分割浮力材２１ａ，２１ｂ’，２１ｃにおける表線の合計値が裏線の合計値よりも大きくなるように形成されることとなる。こうして形成された分割浮力材２１ａ，２１ｂ’，２１ｃは、全体として湾曲しつつ、隣り合う分割浮力材が面接触に近くなるので、お互いにずれにくくなる。そのため、分割浮力材２１ａ，２１ｂ’，２１ｃを用いたフローティングベストは、この着用時のフィット感が向上する。
【００４９】
図８（ｂ）では、中央に位置する分割浮力材２１b’の両側に位置している分割浮力材２１ａ’、２１ｃ’を異ならせたものである。すなわち、分割浮力材２１b’から遠い側を直角としている。全ての分割浮力材２１ａ’，２１ｂ’，２１ｃ’における表線の合計値が裏線の合計値よりも大きくなるように形成されることとなる。
前記の分割浮力材２１ａ、２１ｃが、水平断面形状が長方形をなした状態から両側を切り落とすことで台形を形成する、といった製造手順を踏む場合、切り落とす作業をひとつ減らすことができる。
【００５０】
図９（ａ）では、中央に位置する分割浮力材２１b’’は、着用者が立って着用した場合に外側へ凸となる湾曲をなすように形成している。そして、その分割浮力材２１b’’の両側に位置する分割浮力材２１ａ、２１ｃは、図８（ａ）と同じとしている。
このように形成しても、全ての分割浮力材２１ａ，２１ｂ’’，２１ｃにおける表線の合計値が裏線の合計値よりも大きくなるように形成されることとなる。分割浮力材２１ａ，２１ｂ’’，２１ｃを用いたフローティングベストは、全体として湾曲しつつ、隣り合う分割浮力材が面接触に近くなるので、お互いにずれにくくなる。そのため、この着用時のフィット感が向上する。
【００５１】
図９（ｂ）では、中央に位置する分割浮力材２１b’’の両側に位置している分割浮力材２１ａ’、２１ｃ’を、図８（ｂ）と同じとした物である。
このように形成しても、全ての分割浮力材２１ａ’，２１ｂ’’，２１ｃ’における表線の合計値が裏線の合計値よりも大きくなるように形成されることとなる。
なお図示は省略するが、中央に位置する分割浮力材２１b’’が湾曲している場合、その両側に位置する分割浮力材は、その水平断面形状が長方形（すなわち、全ての角が９０度）であっても、表線の合計値が裏線の合計値よりも大きくなるように形成することも可能である。
【産業上の利用可能性】
【００５２】
本発明は、釣り具やアウトドアウェアの製造業、釣り具やアウトドア用品のレンタル業、アウトドアスポーツのインストラクター事業などにおいて、利用可能性を有する。
【符号の説明】
【００５３】
１０；  フローティングベスト            １１；  表地
１２；  裏地
２０；  フローティングベスト用浮力材    ２１；  分割浮力材
６０；  フローティングベスト（従来）    ６１；  分割浮力材（従来）
【図１】
2015045116.tif 000003
【図２】
2015045116.tif 000004
【図３】
2015045116.tif 000005
【図４】
2015045116.tif 000006
【図５】
2015045116.tif 000007
【図６】
2015045116.tif 000008
【図７】
2015045116.tif 000009
【図８】
2015045116.tif 000010
【図９】
2015045116.tif 000011
【図１０】
2015045116.tif 000012
【図１１】
2015045116.tif 000013
【図１２】
2015045116.tif 000014